(57)【要約】  単極カニューレは、金属製のカニューレチューブ（１０）と、前記カニューレチューブ（１０）の近位端部に取り付けられた電気絶縁性プラスチック製の本体部（１２）と、前記カニューレチューブ（１０）に液体を導入するための前記本体部（１２）上に配置されたコネクタと、刺激ケーブル（２４）とを備え、前記刺激ケーブル（２４）の導電性ワイヤ（２５）は前記本体部（１２）の領域において前記カニューレチューブ（１０）に電気的に接触する。刺激ケーブル（２４）は、電気絶縁性プラスチック製の装着部（２６）によって本体部（１２）に対して側方に装着され得る。装着部（２６）はワイヤに導電接続される導電性接点要素（３８）を有する。装着部（２６）が本体部（１２）に装着されると、接点要素（３８）は本体部（１２）の凹部（１６）に係合し、前記カニューレチューブ（１０）に接触する。
2019518542.tif 000002
【特許請求の範囲】
【請求項１】
金属製のカニューレチューブ（１０）と、前記カニューレチューブ（１０）の近位端部に取り付けられた電気絶縁性プラスチック製の本体部（１２）と、前記カニューレチューブ（１０）に液体を導入するための前記本体部（１２）に配置されたコネクタと、刺激ケーブル（２４）とを備え、前記刺激ケーブル（２４）の導電性ワイヤ（２５）は前記本体部（１２）の領域において前記カニューレチューブ（１０）に電気的に接触する、単極カニューレであって、
電気絶縁性プラスチック製の装着部（２６）を前記本体部（１２）の外周面において側方に配置して装着することができ、かつ
前記装着部（２６）は、前記装着部（２６）が前記本体部（１２）上に装着されたときに、一方では前記導電性ワイヤ（２５）に電気的に接触する導電性接点要素（３８）が前記本体部（１２）の凹部（１６）に係合して前記カニューレチューブ（１０）に接触し、他方では前記接点要素（３８）が前記装着部（２６）によって外側を覆われて完全に絶縁されるように、前記導電性接点要素（３８）を受容することを特徴とする、単極カニューレ。
【請求項２】
前記装着部（２６）が弾性的に弾力のあるスナップ接続によって前記本体部（１２）に装着され得ることを特徴とする、請求項１に記載の単極カニューレ。
【請求項３】
前記装着部（２６）が少なくとも一対の弾力のあるスナップロックアーム（２８）によって前記本体部（１２）のまわりに係合することを特徴とする、請求項２に記載の単極カニューレ。
【請求項４】
前記接点要素（３８）が前記スナップロックアーム（２８）の間に配置されており、前記スナップロックアーム（２８）が前記凹部（１６）の両側において前記本体部（１２）に係合する、請求項３に記載の単極カニューレ。
【請求項５】
前記装着部（２６）の遠位端部が、前記本体部（１２）内に旋回可能に挿入されることができ、かつ装着部（２６）が本体部（１２）に向かって旋回されて、スナップ接続によって前記本体部（１２）に対して接するように固定され得ることを特徴とする、請求項１または２に記載の単極カニューレ。
【請求項６】
前記接点要素（３８）が前記カニューレチューブ（１０に押し付けられる圧接コンタクト（４０）を有することを特徴とする、請求項１乃至５のいずれか１項に記載の単極カニューレ。
【請求項７】
前記接点要素（３８）が前記カニューレチューブ（１０）の外側に対して接するスプリングタブ（４２）を有することを特徴とする、請求項１乃至５のいずれか１項に記載の単極カニューレ。
【請求項８】
前記刺激ケーブル（２４）の導電性ワイヤ（２５）が、前記装着部（２６）内に保持された前記接点要素（３８）に恒久的に導電接続されていることを特徴とする、請求項１乃至７のいずれか１項に記載の単極カニューレ。
【請求項９】
前記刺激ケーブル（２４）の導電性ワイヤ（２５）が、前記装着部（２６）内に保持された接点要素（３８）に対してプラグイン接続によって導電接続され得ることを特徴とする、請求項１乃至７のいずれか１項に記載の単極カニューレ。
【請求項１０】
前記液体を導入するためのコネクタが、前記本体部（１２）に対して同軸的に取り付けられていることを特徴とする、請求項１乃至９のいずれか１項に記載の単極カニューレ。
【請求項１１】
前記コネクタが前記本体部（１２）に取り付けられたチューブ（１４）によって形成されていることを特徴とする、請求項１０に記載の単極カニューレ。
【発明の詳細な説明】
【技術分野】
【０００１】
本発明は、請求項１の前提部に従った単極カニューレに関する。
【背景技術】
【０００２】
前述のような単極カニューレでは、例えば、神経上における遠位カニューレ先端部の位置は電気刺激によって判定される。電気刺激パルスは、カニューレの近位本体部の領域において導電性カニューレチューブに接触する刺激ケーブルによって供給される。この種の単極カニューレは、例えば、特許文献１および特許文献２より知られており、特に末梢神経ブロックの目的で麻酔に用いられている。
【０００３】
これらの既知の単極カニューレでは、刺激ケーブルの絶縁シースがプラスチック製の本体部に接続され、刺激ケーブルの導電性ワイヤは本体部の内部で金属製のカニューレチューブに接触して本体部内に成形されているため、刺激ケーブルはカニューレに恒久的に接続されている。
【０００４】
近年、麻酔中にカニューレの位置を監視および確認するために超音波を用いることがより一般的になってきている。この目的のために、身体の表面に配置された超音波プローブは超音波信号を発し、金属製のカニューレによって反射された超音波信号を受信する。例えば特許文献３に記載されているようにカニューレの超音波視認性の向上により、麻酔専門医は、ますます超音波でのカニューレ検出にとどめ、電気刺激を不要としている。
【先行技術文献】
【特許文献】
【０００５】
【特許文献１】米国特許第７，０２２，１１５号明細書
【特許文献２】欧州特許出願公開第１００２５００号明細書
【特許文献３】国際公開第２０１０／０１２０２３号明細書
【発明の概要】
【発明が解決しようとする課題】
【０００６】
本発明の目的は、この傾向に応じ、カニューレの位置を検出するための超音波および電気刺激の能力の双方を好都合に組み合わせたカニューレを提供することにある。
この目的は請求項１の特徴を有する単極カニューレによって本発明に従って得られる。
【０００７】
本発明の有利な実施形態は、従属請求項において規定されている。
【課題を解決するための手段】
【０００８】
本発明の本質的な概念は、刺激ケーブルが、カニューレに恒久的に接続されるのではなく、任意でカニューレの本体部に取り付けることができるということである。単極カニューレが超音波位置検出によってのみ用いられる場合には刺激ケーブルは用いられず、従ってカニューレから切断されたままであるか、またはカニューレに取り付けられた刺激ケーブルはカニューレから取り外される。これは刺激ケーブルによる任意の干渉を防止し、カニューレが電気刺激を伴わない従来のカニューレとして用いられることを可能にする。電気刺激による位置決定が所望される場合には、単に刺激ケーブルを本体部に対して側方に取り付けることにより、またはカニューレに既に取り付けられている刺激ケーブルをカニューレ上でそのままにすることにより、その場合、刺激ケーブルの導電性ワイヤは金属製のカニューレチューブと接触させられ、同一のカニューレを用いることができる。それにより、同一のカニューレを電気刺激とともに、または電気刺激なしで、用いることができる。
【０００９】
刺激ケーブルをカニューレの本体部上に装着するためには、電気絶縁性プラスチック製の装着部が用いられ、該装着部は、装着部が本体部の外周面に載るような状態で本体部に対して側方に装着され得る。装着部は、刺激ケーブルのワイヤに導電接続される導電性接点要素を備える。接点要素とワイヤとは、例えばはんだ接合によって恒久的に接続されてもよいし、またはプラグイン接続によって互いに接続されてもよい。装着部が本体部に取り付けられると、接点要素は、接点要素がカニューレチューブに導電接触することができように金属製のカニューレチューブを露出させたままにしている本体部の凹部内に係合する。この位置において、装着部は接点要素の外側を完全に覆い、それにより接点要素、および本体部の外周に沿った刺激ケーブルのワイヤへの接点要素の接続を絶縁して、使用者による接触を防止する。このように、刺激ケーブルの装着およびカニューレチューブへの接触に必要な構造的手段は本体部の外側の構成に影響を与えず、その結果として、刺激ケーブルを有さないカニューレの取り扱いが妨げられず、電気刺激を伴わない従来のカニューレに完全に一致する。
【００１０】
１つの好ましい実施形態において、刺激ケーブルは、スナップ接続によって本体部に取り付けられる装着部によって装着され得る。スナップ接続は、例えば、本体部に係合する装着部の弾力のあるスナップロックアームによって行うことができる。一実施形態において、接点要素は、好ましくは１つ以上の対のスナップロックアームの間に配置されている。その場合、スナップロックアームは本体部の２つの側面上において直径方向に互いに対向して取り付けられ、スナップロックアームの間の本体部の領域には接点要素に係合するための凹部が位置する。別の実施形態では、装着部は本体部に旋回可能に装着され、本体部に対して旋回されると本体部上にロックする。
【００１１】
カニューレチューブに電気的に接触するための接点要素は、いくつかの方法で構成されてもよく、装着部が本体部に取り付けられた場合に接点要素が良好で信頼できるカニューレチューブとの電気的接触を確立することのみを保証すればよい。一実施形態において、接点要素は、カニューレチューブ上において股状の形で半径方向に押圧される圧接コンタクト（Ｓｃｈｎｅｉｄ−ｋｌｅｍｍ−Ｋｏｎｔａｋｔ）として具体化される。圧接コンタクトの２つのアームは、それによりカニューレチューブの周面に押し付けられて、必要な接触圧を確立する。
【００１２】
別の実施形態では、接点要素は、装着部が取り付けられると、弾性ばね圧下でカニューレチューブの外側に置かれるスプリングタブとして具体化される。
単極カニューレの近位本体部はポートを装備しており、該ポートを通じて液体、特に麻酔薬をカニューレチューブに導入し、この液体をカニューレの遠位出口開口を介して投与することができる。ポートは、好ましくはカニューレチューブに対して同軸を有し、これは刺激ケーブルを側方に取り付けることによって可能となる。ポートは、例えば、コネクタとして、特にルアーロックコネクタとして構成することができる。このコネクタは、例えば特許文献１に示されているように、本体部上に直接形成されてもよい。これに代わって、コネクタは、例えば特許文献２に示されているように、本体部に対して同軸的に取り付けられたチューブに取り付けられてもよい。
【００１３】
下記において、本発明を図面の組に示す例示的な実施形態を参照しながらより詳細に説明する。
【図面の簡単な説明】
【００１４】
【図１】刺激ケーブルが取り付けられた単極カニューレの第１実施形態の斜視図。
【図２】刺激ケーブルが取り外された単極カニューレの対応する斜視図。
【図３】刺激ケーブルが取り付けられた単極カニューレの軸線方向の部分切り取り側面図。
【図４】単極カニューレの平面図。
【図５】図３の断面線Ｆ−Ｆに沿った刺激ケーブルが取り付けられた単極カニューレの断面図。
【図６】刺激ケーブルが取り付けられた単極カニューレの第２実施形態の斜視図。
【図７】刺激ケーブルが取り外された単極カニューレの第２実施形態の対応する斜視図。
【図８】刺激ケーブルが取り外された第２実施形態の単極カニューレの軸線方向の部分切り取り側面図。
【図９】刺激ケーブルが取り付けられた単極カニューレの軸線方向の部分切り取り側面図。
【図１０】刺激ケーブルが取り付けられた第２実施形態の単極カニューレの平面図。
【図１１】刺激ケーブルが取り付けられた単極カニューレの図９における断面線Ｆ−Ｆに沿った断面図。
【図１２】刺激ケーブルが取り付けられた単極カニューレの第３実施形態の斜視図。
【図１３】刺激ケーブルが取り外されたこの第３実施形態の斜視図。
【図１４】刺激ケーブルが取り外された第３実施形態の単極カニューレの側面図。
【図１５】図１４の断面線Ａ−Ａに沿った断面図。
【図１６】刺激ケーブルが取り付けられた第３実施形態の単極カニューレの軸線方向の部分切り取り側面図。
【図１７】図１６の断面線Ｂ−Ｂに沿った断面図。
【図１８】単極カニューレの第４実施形態の軸線方向の部分切り取り側面図。
【図１９】図１８の単極カニューレの近位端部からの軸線方向図。
【図２０】刺激ケーブルが取り付けられた図１８に対応する第４実施形態の単極カニューレの軸線方向の部分切り取り側面図。
【図２１ａ】第４実施形態の単極カニューレ上における刺激ケーブルの取り付けを三段階で示す図。
【図２１ｂ】第４実施形態の単極カニューレ上における刺激ケーブルの取り付けを三段階で示す図。
【図２１ｃ】第４実施形態の単極カニューレ上における刺激ケーブルの取り付けを三段階で示す図。
【図２２】刺激ケーブルが取り付けられた単極カニューレの第５実施形態の軸線方向の部分切り取り側面図。
【図２３】図２２に示した位置における単極カニューレの近位端部からの軸線方向の図。
【図２４】遠位端部からの対応する軸線方向の図。
【図２５】刺激ケーブルが取り付けられた第５実施形態の単極カニューレの軸線方向の部分切り取り側面図。
【図２６ａ】第５実施形態の単極カニューレ上における刺激ケーブルの取り付けを三段階で示す図。
【図２６ｂ】第５実施形態の単極カニューレ上における刺激ケーブルの取り付けを三段階で示す図。
【図２６ｃ】第５実施形態の単極カニューレ上における刺激ケーブルの取り付けを三段階で示す図。
【図２７】刺激ケーブルが取り付けられた単極カニューレの第６実施形態の側面図。
【図２８】第６実施形態の平面図。
【図２９】図２７の断面線Ａ−Ａに沿った断面図。
【図３０】第６実施形態に従った刺激ケーブルを備えた単極カニューレの分解組立図。
【図３１】刺激ケーブルが取り付けられた第６実施形態の単極カニューレの斜視図。
【図３２】第６実施形態に従った、刺激ケーブルが取り付けられた単極カニューレの軸線方向の断面図。
【発明を実施するための形態】
【００１５】
図１〜図５は、本発明に従った単極カニューレの第１の例示的な実施形態を示す。
単極カニューレは金属製のカニューレチューブ１０を有し、金属製のカニューレチューブ１０の外周面は、金属製のカニューレチューブ１０の遠位先端部のみを露出させたまま、電気絶縁性プラスチックによって被覆されている。近位端部では、カニューレチューブ１０はプラスチック製の本体部１２内に成形されている。本体部１２は、本質的に従来の直方体形状であり、その前端部および後端部はフランジへと広がって、該カニューレが２本の指を用いて確実に掴持され案内されることを可能にしている。カニューレチューブ１０は本体部１２を通って軸線方向に延在する。本体部１２から近位に突出するカニューレチューブ１０の端部は同軸管１４内に封入され、その同軸管１４は本体部１２に封着されている。チューブ１４は、それを通じて液体、例えば麻酔薬をカニューレチューブ１０内に導入でき、次いでカニューレチューブ１０から遠位方向に出す注入チューブとして機能する。図面には示していないその自由端において、チューブ１４は液体を供給するための注射器などを取り付けることができるコネクタ、例えばルアーロックコネクタを有する。これに代わって、注入チューブが所望されない場合には、コネクタは本体部１２上に直接位置してもよい。
【００１６】
その遠位断面において、本体部１２には凹部１６が設けられており、凹部１６は図面では本体部１２の上外側面に向かって開放し、かつその深さが少なくともカニューレチューブ１０まで下方に延びる。示した例示的な実施形態では、凹部１６は、本体部１２を通って直径方向に連続的に開放している。凹部１６内に延びるその軸線方向の断面において、カニューレチューブ１０は露出されている、すなわち、この部分では、金属製のカニューレチューブ１０は絶縁外側コーティングを有さない。本体部１２の前方遠位方向に広がったフランジ１８には、周方向に延びる溝２０が形成されている。溝２０は凹部１６の両側において直径方向に形成されており、凹部１６は溝２０内へ遠位方向に延びている。図面の底部側において、溝２０は２つの側面のそれぞれに内側段部２２を有する。
【００１７】
単極カニューレが電気刺激に用いられる場合には、電気刺激装置に接続することができる刺激ケーブル２４が本体部１２に装着される。刺激ケーブル２４は、電気絶縁性プラスチック製で刺激ケーブルの絶縁体に取り付けられた装着部２６を有する。装着部２６はスナップ接続によって本体部１２上に装着され得る。示した例示的な実施形態では、スナップ接続は、装着部２６の一対の弾力のあるスナップ−スナップロックアーム（ｆｅｄｅｒｎｄｅｎ  Ｒａｓｔａｒｍｅｎ）２８によって形成される。スナップロックアーム２８は、溝２０に挿入されることによって、凹部１６の両側の溝２０の領域において本体部１２のまわりに直径方向に係合することができるように形成されたＵ字状脚部として構成されている。各スナップロックアーム２８の自由端には、内方に向かう先端部３０が形成されている。スナップロックアーム２８を備えた装着部２６を本体部１２上に対して半径方向側方に配置するために、スナップロックアーム２８は溝２０内に挿入され、各アームの先端部３０は各内側段部２２の後部にスナップ嵌めされる。それにより、装着部２６は、本体部１２上にクリップ留めされて固定される。上述の位置において、装着部２６は、スナップロックアーム２８によって前方フランジ１８の外輪郭に嵌合する。装着部２６がそのクリップ留め位置にある場合、装着部２６の近位に延びる長手方向部材３２は、図面では本体部１２の上外側面内に軸線方向に延在する溝３４に嵌合する。さらに、溝３４に沿って、本体部１２の近位後方フランジ３６は、長手方向部材３２が係合する切欠き３７を備える。そのスナップ嵌め状態において、装着部２６は、本体部１２の軸線方向の長さ全体にわたって本体部１２に固定される。
【００１８】
刺激ケーブル２４の導電性ワイヤは、装着部２６内に位置する金属製の接点要素３８に導電接続されている。第１の例示的な実施形態において、接点要素３８は圧接コンタクト４０として具体化される。圧接コンタクト４０は、スナップロックアーム２８が跨る平面内においてスナップロックアーム２８の間の中央に位置し、かつスナップロックアーム２８に対してほぼ平行に延びている。スナップロックアーム２８を備えた装着部２６が本体部１２上にスナップ嵌めされると、圧接コンタクト４０は凹部１６内に半径方向に突出し、その二股状アームは、露出したカニューレチューブ１０上に押し付けられる。その位置において、圧接コンタクト４０のアームは、特に図５において明らかなように、金属製のカニューレチューブ１０の表面に押し付けられる。その結果として、装着部２６がスナップ嵌めされると、圧接コンタクト４０を介して刺激ケーブル２４のワイヤからカニューレチューブ１０へ信頼できる電気的接触が確立される。装着部２６は、それにより本体部１２の外周面上において接点要素３８を覆い、接点要素３８を完全に絶縁する。
【００１９】
本発明の第２の例示的な実施形態を図６〜図１１に示す。この例示的な実施形態が第１実施形態と同一である限りにおいて、同一の参照符号が用いられ、前述の説明はこの第２の例示的な実施形態に同様に当てはまる。
【００２０】
第２の例示的な実施形態は、接点要素３８の構成に関して第１の例示的な実施形態と異なる。この第２実施形態では、接点要素３８は、導電性の弾性金属製で刺激ケーブル２４のワイヤに導電接続されたスプリングタブ４２を装備している。スプリングタブ４２は、特に図８において明らかなように、スプリングタブが装着部２６の長手方向部材３２から遠位方向内側に角度をなすように、装着部２６のプラスチック内に固定されている。装着部２６がスナップロックアーム２８によって本体部１２上にスナップ嵌めされると、スプリングタブ４２は凹部１６に係合し、図９および図１１から明らかなように、露出したカニューレチューブ１０の外周面に対して弾性ばね張力下で接する状態になる。それにより、スプリングタブ４２は、接点要素３８および接点要素３８に接続されている刺激ケーブル２４のワイヤの双方とカニューレチューブ１０との間において信頼できる電気的接触を確立する。
【００２１】
図１２〜図１７は本発明に従った単極カニューレの第３実施形態を示す。この例示的な実施形態が上述の第１および第２実施形態と同一である限りにおいて、同一の参照符号が用いられ、また前述の説明はこの第３の例示的な実施形態に同様に当てはまる。
【００２２】
第３実施形態は、本体部１２と装着部２６との間のスナップ接続の構成に関して第１実施形態および第２実施形態と本質的に異なる。この第３実施形態では、装着部２６は、軸線方向において互いから離間した三対のスナップロックアーム２８を装備している。スナップロックアーム２８の対はそれぞれ、本体部１２のまわりに係合し、本体部１２の周囲において対応して軸線方向に離間した溝４４に嵌合されることによって、刺激ケーブルを取り付ける。各スナップロックアーム２８の内方に向いた先端部３０は、これらの溝４４内に配置された内側段部２２の後部に係合する。したがって、装着部２６が本体部１２上に配置されると、装着部２６は、三対のスナップロックアーム２８によって内側段部２２の後部にこのように係合することにより、装着部２６を刺激ケーブル２４と共に本体部１２の軸線方向の長さ全体にわたって本体部１２上に固定する。この位置において、遠位方向最前方の対のスナップロックアーム２８は、凹部１６の領域において本体部１２を包囲する。それにより、遠位方向最前方のスナップロックアーム２８の間に位置する接点要素３８は、図１６から明らかなように、凹部１６内のカニューレチューブ１０と導電接触させられる。接点要素３８は、図１５および図１６に特に示すように、スプリングタブ４２として具体化されてもよい。当然のことであるが、この第３実施形態において、接点要素３８はまた、第１実施形態に記載したように、圧接コンタクト４０として具体化されてもよい。
【００２３】
図１８〜図２１は、本発明に従った単極カニューレの第４実施形態を示す。この第４実施形態が上述の実施形態と同一である限りにおいて、同一の参照符号が用いられ、また前述の説明はこの第４実施形態に同様に当てはまる。
【００２４】
第４実施形態は、装着部２６を本体部１２上に装着する方法に関して以前の実施形態と本質的に異なる。
この第４実施形態では、装着部２６の遠位端部が凹部１６に係合する。装着部２６の遠位端部において、ベアリングピン４６は側方に、すなわち、カニューレの軸線方向に直交して突出して成形されている。装着部２６を凹部１６に挿入する際、図２１ａおよび図２１ｂに示すように、これらの真円円筒ベアリングピン４６は、前方フランジ１８の近位方向に向いた壁に形成されたベアリングソケット４８によって受容される。装着部２６がそのベアリングピン４６によってベアリングソケット４８内に着座すると、装着部２６は、図１８および図２１ｂに示すように、カニューレ軸線に対して横断して延びるベアリングピン４６の軸線のまわりで旋回するように本体部１２上に配置される。
【００２５】
次に、装着部２６は、また図２１ｂおよび図２１ｃに示すように、本体部１２に対して図１８に示す位置から図２０に示す位置に旋回させることができる。装着部２６が本体部１２に対して接するようになるや否や（図２０）、本体部１２に面した装着部２６の表面に成形されたスナップロックアーム５０は本体部１２の外面の陥凹部５２に係合する。この位置において、スナップロックアーム５０の自由端に位置する先端部３０は、特に図２０において明らかなように、陥凹部５２の内側段部２２の後部に係合する。それにより、装着部２６は、その軸方向長全体にわたって本体部１２上に固定される。
【００２６】
加えて、突起５４は、本体部１２に面した装着部２６の表面に成形されている。装着部２６が本体部１２に向かって図２０に示す装着位置に旋回されると、突起５４は本体部１２の外面の対応する陥凹部５６に入り込み、それにより本体部１２に関して任意の横ずれに対して能動的にロックする接続で装着部２６を付加的に固定する。
【００２７】
図１８〜図２１の実例において、接点要素３８はスプリングタブ４２として具体化されている。当然のことであるが、接点要素３８はまた圧接コンタクト４０として具体化されてもよい。
【００２８】
図２３〜図２６は、本発明に従った単極カニューレの第５実施形態を示す。この実施形態が上述の実施形態と同一である限りにおいて、同一の参照符号が用いられ、また前述の説明はこの実施形態に同様に当てはまる。
【００２９】
第５実施形態は、図１８〜図２１に示した第４実施形態とほぼ同一であり、本体部１２に対する装着部２６の旋回可能なベアリングの構成の点においてのみ第４実施形態と異なる。
【００３０】
第５実施形態では、ベアリングピンおよびベアリングソケットの代わりに、ベアリング先端部５８が、凹部１６に係合する装着部２６の遠位端部に成形されている。装着部２６の遠位端部が凹部１６に挿入されると、ベアリング先端部５８は、前方フランジ１８の近位方向に向いた端面に形成された開口６０に係合する。それにより、装着部２６はその遠位前方端部において、本体部１２のフランジ１８に旋回可能に取り付けられ、図２２および図２６ｂに示す位置から図２５および図２６ｃに示す位置にそれぞれ旋回させることができる。装着部２６がこの旋回運動の結果として本体部１２上に置かれるようになると、スナップロックアーム５０の先端部３０は、第４実施形態に関して記載したように、陥凹部５２内の内側段部２２とロック接続で係合する。それによりスナップ接続が生じ、装着部２６は刺激ケーブル２４と共に本体部１２上に、よってカニューレ上に固定される。
【００３１】
同様にこの実施形態では、接点要素３８は、スプリングタブ４２または圧接コンタクト４０として具体化されてもよい。
図２７〜図３２は、本発明に従った単極カニューレの第６実施形態を示す。この第６実施形態が上述の実施形態と同一である限りにおいて、同一の参照符号が用いられ、また前述の説明はこの第６実施形態に同様に当てはまる。前述の実施形態では、刺激ケーブル２４のワイヤ２５は接点要素３８に対して、例えばはんだ付け、溶接などによって恒久的に導電接続されるが、第６実施形態では、その導電性ワイヤ２５を備えた刺激ケーブル２４はプラグイン接続によって接点要素３８に導電的に接続され得る。他のすべての態様おいて、第６実施形態は、図１２〜図１７に示した第３実施形態に本質的に一致する。
【００３２】
プラスチック製の装着部２６は、カニューレチューブ１０の本体部１２に対して側方にスナップ嵌めされて、本体部１２の外面において本体部１２の周囲輪郭に嵌合する。装着部２６は、装着部２６において軸線方向に離間した四対のスナップロックアーム２８を有する。スナップロックアーム２８は、本体部１２のまわりに係合し、内方に向いた先端部３０によって本体部１２の両側に形成された内側段部２２の後部に弾力的にスナップ嵌めして、装着部２６を本体部１２に取り付ける。
【００３３】
装着部２６は接点要素３８を受容し、接点要素３８は板ばねとして具体化され、スプリングタブ４２として具体化された前方端部によって凹部１６に係合して、カニューレチューブ１０に導電的に接触する。この場合、スプリングタブ４２ではなく、圧接コンタクトが接点要素３８上に同様に形成されてもよい。組み立て中、接点要素３８は、装着部２６の内側の側方案内溝内に挿入され、広がったスプリングタブ６２によって、これらの案内溝内に押し付けられて固定される。
【００３４】
第６実施形態において、刺激ケーブル２４は、装着部２６によって本体部１２に取り付けられる接点要素３８を介してカニューレチューブ１０に接触するために、接点要素３８に対してプラグイン接続によって、したがって分離可能に、導電的に接続され得る。この目的のために、装着部２６の後部領域は、近位方向に開放し、かつ一方では外周に向かって閉鎖された装着部２６のＵ字状突起により形成され、かつ他方では本体部１２の壁により形成された軸線方向に平行なトンネル６４を備える。接点要素３８の近位端部に形成されたスプリングアーム６６は、このトンネル６４内に突出する。スプリングアーム６６は上方隆起部を備え、その結果、その隆起部はトンネル６４の開放した断面内に突出する。
【００３５】
金属製の接点片６８は、例えば、はんだ付け、溶接などにより、刺激ケーブル２４のワイヤ２５の自由端に導電的に取り付けられている。プラスチック製のシース７０は、ワイヤ２５の自由端および接点片６８のまわりに成形されている。プラスチック製のシース７０の断面はトンネル６４の内断面に一致し、その結果、プラスチック製のシース７０をトンネル６４内に嵌挿することができ、その場合、プラスチック製のシース上の外側ビード７２はトンネル６４のＵ字状側面（Ｕ−Ｐｒｏｆｉｌ）の内部溝に係合する。プラスチック製のシース７０の後部は、ワイヤ２５の自由端および接点片６８を包囲し、また刺激ケーブル２４の絶縁体を封入する。近位前方端部において、プラスチック製のシース７０は本体部１２に向かって開放したＵ字状側面７４を形成し、接点片６８はＵ字状側面７４の基部において延在する。刺激ケーブル２４が単極カニューレおよびその本体部１２から分離された場合、図３０の分解組立図に示すように、Ｕ字状側面７４は接点片６８の露出した自由端を使用者による不注意な接触から保護する。これは、金属製の接点片６８によって引き起こされる使用者に対する怪我または使用者の手袋への損傷を確実に防止する。刺激ケーブル２４がプラスチック製のシース７０とともに装着部２６のトンネル６４内に挿入される場合、刺激ケーブル２４はカニューレチューブ１０のチューブ１４に軸線方向に平行に延びる。プラスチック製のシース７０のＵ字状側面７４は装着部２６のトンネル６４内へ十分深く進入するので、接点要素３８の角度をなしたスプリングアーム６６は下からＵ字状側面７４に係合することができ、その角度をなした部分の弾性ばね圧力下で接点片６８に確実に接触する。それにより刺激ケーブル２４のワイヤ２５の接点片６８および接点要素３８を介したカニューレチューブ１０への導電接続が確立される。
【００３６】
第６実施形態は、刺激ケーブル２４が不要であり接続されていないときでさえ、装着部２６並びに接点要素３８が本体部１２上に装着されたままにすることができるという利点を有する。その結果として、本体部１２および装着部２６はともに、刺激ケーブル２４が接続されているか否かにかかわらず、使用者に対して同一の形状を有する。他のすべての実施形態と同様に、本体部１２上に装着された装着部２６は、接点要素３８の外周を覆って、接点要素３８を完全に絶縁する。
【符号の説明】
【００３７】
１０…カニューレチューブ、１２…本体部、１４…チューブ、１６…凹部、１８…前方フランジ、２０…溝、２２…内側段部、２４…刺激ケーブル、２５…ワイヤ、２６…装着部、２８…スナップロックアーム、３０…先端部、３２…長手方向部材、３４…溝、３６…後方フランジ、３７…切欠き、３８…接点要素、４０…圧接コンタクト、４２…スプリングタブ、４４…溝、４６…ベアリングピン、４８…ベアリングソケット、５０…スナップロックアーム、５２…陥凹部、５４…突起、５６…陥凹部、５８…ベアリング先端部、６０…開口、６２…スプリングタブ、６４…トンネル、６６…スプリングアーム、６８…接点片、７０…プラスチック製のシース、７２…外側ビード、７４…Ｕ字状側面。
【図１】
2019518542.tif 000003
【図２】
2019518542.tif 000004
【図３】
2019518542.tif 000005
【図４】
2019518542.tif 000006
【図５】
2019518542.tif 000007
【図６】
2019518542.tif 000008
【図７】
2019518542.tif 000009
【図８】
2019518542.tif 000010
【図９】
2019518542.tif 000011
【図１０】
2019518542.tif 000012
【図１１】
2019518542.tif 000013
【図１２】
2019518542.tif 000014
【図１３】
2019518542.tif 000015
【図１４】
2019518542.tif 000016
【図１５】
2019518542.tif 000017
【図１６】
2019518542.tif 000018
【図１７】
2019518542.tif 000019
【図１８】
2019518542.tif 000020
【図１９】
2019518542.tif 000021
【図２０】
2019518542.tif 000022
【図２１ａ）】
2019518542.tif 000023
【図２１ｂ）】
2019518542.tif 000024
【図２１ｃ）】
2019518542.tif 000025
【図２２】
2019518542.tif 000026
【図２３】
2019518542.tif 000027
【図２４】
2019518542.tif 000028
【図２５】
2019518542.tif 000029
【図２６ａ）】
2019518542.tif 000030
【図２６ｂ）】
2019518542.tif 000031
【図２６ｃ）】
2019518542.tif 000032
【図２７】
2019518542.tif 000033
【図２８】
2019518542.tif 000034
【図２９】
2019518542.tif 000035
【図３０】
2019518542.tif 000036
【図３１】
2019518542.tif 000037
【図３２】
2019518542.tif 000038
【国際調査報告】
2019518542.tif 000039
2019518542.tif 000040
2019518542.tif 000041
2019518542.tif 000042
2019518542.tif 000043
2019518542.tif 000044
2019518542.tif 000045
2019518542.tif 000046